【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
競合ベースの共有スペクトル上のサービング基地局からのチャネル使用信号を、ユーザ機器（ＵＥ）によって監視することと、
前記チャネル使用信号が検出されたとき、構成されたオン持続時間タイマーに基づくオン持続時間の間に前記競合ベースの共有スペクトル上のダウンリンク制御チャネルを監視することと、
非アクティビティタイマー、ここにおいて、前記非アクティビティタイマーは、前記ダウンリンク制御チャネルを検出したことに応答して開始される、または
前記構成されたオン持続時間タイマー
の一方の満了時にスリープモードに入ることと、
前記オン持続時間の間に前記チャネル使用信号を検出したことに応答して発見基準信号（ＤＲＳ）を監視することと、
前記ＤＲＳを測定することと、
ＤＲＳが検出されない間の前記オン持続時間の間に最後に正常に受信されたＤＲＳからの期間長さを監視することと、
前記期間長さがしきい値を超えるとき、前記ＤＲＳを監視するために前記ＵＥにおいてウェイクアップサイクルを開始することと、ここにおいて、前記ウェイクアップサイクルが前記ＤＲＳの周期性に対応する、
を備える、方法。
【請求項２】
ウェイクアップタイマーを開始することと、ここにおいて、前記ＵＥは、前記ウェイクアップタイマーが開始されるときにチャネル使用信号を前記監視することを開始するために前記スリープモードからウェイクアップする、
前記ウェイクアップタイマーの満了前に前記チャネル使用信号が検出されないときに前記スリープモードに再び入ることと
をさらに含む、請求項１に記載の方法。
【請求項３】
前記ウェイクアップタイマーが、前記サービング基地局から受信された構成信号に基づいて構成される、請求項２に記載の方法。
【請求項４】
ワイヤレス通信用に構成された装置であって、前記装置が、
競合ベースの共有スペクトル上のサービング基地局からのチャネル使用信号を、ユーザ機器（ＵＥ）によって監視するための手段と、
前記チャネル使用信号が検出されたとき、構成されたオン持続時間タイマーに基づくオン持続時間の間に前記競合ベースの共有スペクトル上のダウンリンク制御チャネルを監視するための手段と、
非アクティビティタイマーと、ここにおいて、前記非アクティビティタイマーは、前記ダウンリンク制御チャネルを検出したことに応答して開始される、または
前記構成されたオン持続時間タイマー
の一方の満了時にスリープモードに入るための手段と、
前記オン持続時間の間に前記チャネル使用信号を検出したことに応答して発見基準信号（ＤＲＳ）を監視するための手段と、
前記ＤＲＳを測定するための手段と、
ＤＲＳが検出されない間の前記オン持続時間の間に最後に正常に受信されたＤＲＳからの期間長さを監視するための手段と、
前記期間長さがしきい値を超えるとき、前記ＤＲＳを監視するために前記ＵＥにおいてウェイクアップサイクルを開始するための手段と、前記ウェイクアップサイクルが前記ＤＲＳの周期性に対応する、
を備える、装置。
【請求項５】
ウェイクアップタイマーを開始するための手段と、ここにおいて、前記ＵＥは、前記ウェイクアップタイマーが開始されるときにチャネル使用信号を前記監視することを開始するために前記スリープモードからウェイクアップする、
前記ウェイクアップタイマーの満了前に前記チャネル使用信号が検出されないときに前記スリープモードに再び入るための手段と
をさらに含む、請求項４に記載の装置。
【請求項６】
実行されたとき、コンピュータに、請求項１乃至３のいずれかに記載の方法を行わせる、記憶されたプログラムコードを有するコンピュータ可読媒体を備える、コンピュータプログラム製品。
【手続補正２】
【補正対象書類名】明細書
【補正対象項目名】０１２５
【補正方法】変更
【補正の内容】
【０１２５】
[00141]本開示についての以上の説明は、いかなる当業者も本開示を作成または使用することができるように与えられたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
ワイヤレス通信の方法であって、
競合ベースの共有スペクトル上のサービング基地局からのチャネル使用信号を、ユーザ機器（ＵＥ）によって監視することと、
前記チャネル使用信号が検出されたとき、構成されたオン持続時間タイマーに基づくオン持続時間の間に前記競合ベースの共有スペクトル上のダウンリンク制御チャネルを監視することと、
非アクティビティタイマー、ここにおいて、前記非アクティビティタイマーは、前記ダウンリンク制御チャネルを検出したことに応答して開始される、または
前記構成されたオン持続時間タイマー
の一方の満了時にスリープモードに入ることと
を備える、方法。
［Ｃ２］
ウェイクアップタイマーを開始することと、ここにおいて、前記ＵＥは、前記ウェイクアップタイマーが開始されるときにチャネル使用信号を前記監視することを開始するために前記スリープモードからウェイクアップする、
前記ウェイクアップタイマーの満了前に前記チャネル使用信号が検出されないときに前記スリープモードに再び入ることと
をさらに含む、Ｃ１に記載の方法。
［Ｃ３］
前記ウェイクアップタイマーが、前記サービング基地局から受信された構成信号に基づいて構成される、Ｃ２に記載の方法。
［Ｃ４］
前記オン持続時間の間に前記チャネル使用信号を検出したことに応答して発見基準信号（ＤＲＳ）を監視することと、
前記ＤＲＳを測定することと
をさらに含む、Ｃ１に記載の方法。
［Ｃ５］
ＤＲＳが検出されない間の前記オン持続時間の間に最後に正常に受信されたＤＲＳからの期間長さを監視することと、
前記期間長さがしきい値を超えるとき、前記ＤＲＳを監視するために前記ＵＥにおいてウェイクアップサイクルを開始することと
をさらに含み、ここにおいて、前記ウェイクアップサイクルが前記ＤＲＳの周期性に対応する、Ｃ４に記載の方法。
［Ｃ６］
ワイヤレス通信の方法であって、
１次キャリアから物理レイヤチャネル上の制御信号を受信することと、
前記制御信号を使用して前記１次キャリアおよび２次キャリアに対する１つまたは複数のタイマーを管理することと
を備え、ここにおいて、前記１つまたは複数のタイマーが、
前記１次キャリアおよび前記２次キャリアのオン持続時間、あるいは
前記１次キャリアまたは前記２次キャリアのスリープモードへのエントリ
の一方と関連付けられ、
前記２次キャリアが競合ベースのキャリアを使用して通信する、方法。
［Ｃ７］
前記１つまたは複数のタイマーのうちの少なくとも１つに部分的に基づいて、第１のアクティブ時間の持続時間の間にユーザ機器（ＵＥ）によって前記１次キャリアを監視することと、
前記第１のアクティブ時間の持続時間に基づいて第２のアクティブ時間の持続時間の間に前記ＵＥによって前記２次キャリアを監視することと、
前記制御信号に応答して前記２次キャリア上で前記スリープモードに入ることと
をさらに含む、Ｃ６に記載の方法。
［Ｃ８］
前記１つまたは複数のタイマーのうちの前記少なくとも１つが、間欠受信（ＤＲＸ）オン持続時間タイマーおよび非アクティビティタイマーを含む、Ｃ７に記載の方法。
［Ｃ９］
前記制御信号に応答して前記１つまたは複数のタイマーのうちの前記少なくとも１つを停止させることをさらに含む、Ｃ７に記載の方法。
［Ｃ１０］
前記１次キャリアに対する第１のＤＲＸサイクル長さ、第１のＤＲＸオフセット、および第１のＤＲＸオン持続時間、ならびに前記２次キャリアに対する第２のＤＲＸサイクル長さ、第２のＤＲＸオフセット、および第２のＤＲＸオン持続時間を識別する構成信号を前記ＵＥにおいて受信することと、ここにおいて、前記第１のＤＲＸサイクル長さ、前記第１のＤＲＸオフセット、前記第２のＤＲＸサイクル長さ、および前記第２のＤＲＸオフセットは、前記ＵＥの第１のＤＲＸオン持続時間と前記２次ＤＲＸオン持続時間との間に少なくとも部分的重複を確実にする、
前記第１のＤＲＸオン持続時間に設定された少なくとも１つの１次キャリアタイマーの間の前記１次キャリアと、前記第２のＤＲＸオン持続時間に設定された少なくとも１つの２次キャリアタイマーの間の前記２次キャリアとを、前記ＵＥによって監視することとをさらに含み、
前記少なくとも１つの１次キャリアタイマーが前記１つまたは複数のタイマーのうちの少なくとも１つのタイマーであり、前記１次キャリアと関連付けられ、前記少なくとも１つの２次キャリアタイマーが前記１つまたは複数のタイマーのうちの少なくとも１つのタイマーであり、前記２次キャリアと関連付けられる、Ｃ６に記載の方法。
［Ｃ１１］
前記２次キャリアを前記監視することが、
システムブロードキャストメッセージ内で通信されるアップリンク−ダウンリンク構成内で識別された１つまたは複数のダウンリンクサブフレーム、および
動的アップリンク−ダウンリンク構成信号内の１つまたは複数のダウンリンクサブフレームの各々の間に発生する、Ｃ１０に記載の方法。
［Ｃ１２］
前記制御信号に応答して前記２次キャリアに対するスリープモードに前記ＵＥにおいて入ることをさらに含む、Ｃ１１に記載の方法。
［Ｃ１３］
前記１つまたは複数のタイマーの前記少なくとも１つの２次キャリアタイマーの間に前記２次キャリア上で２次ダウンリンク制御チャネルを受信することと、
前記２次ダウンリンク制御チャネルに応答して前記２次キャリアに対する前記１つまたは複数のタイマーのうちの非アクティビティタイマーを起動することと、
前記非アクティビティタイマーの間に前記２次キャリア上の次の２次ダウンリンク制御チャネルを監視することを延長することと
をさらに含み、前記制御信号が前記非アクティビティタイマーの間に受信される、Ｃ１２に記載の方法。
［Ｃ１４］
前記１次キャリアから前記物理レイヤ上の２次制御信号を受信することと、
前記２次制御信号に応答して前記１つまたは複数のタイマーのうちの少なくとも１つの第２のタイマーの間に前記２次キャリアを監視することと
をさらに含み、前記１つまたは複数のタイマーのうちの前記少なくとも１つの前記第２のタイマーの持続時間が、
前記構成信号内で受信されるか、あるいは
前記１つまたは複数のタイマーのうちの前記少なくとも１つのタイマーの残り時間に基づくか
の一方である、Ｃ１０に記載の方法。
［Ｃ１５］
前記少なくとも１つの１次キャリアタイマーおよび前記少なくとも１つの２次キャリアタイマーの間に発見基準信号（ＤＲＳ）に対する前記１次キャリアと前記２次キャリアとを監視することと、ここにおいて、前記１次キャリアは競合ベースの共有スペクトルを含む、
前記ＤＲＳを検出したことに応答して前記ＤＲＳを測定することと
をさらに含む、Ｃ１４に記載の方法。
［Ｃ１６］
前記少なくとも１つの２次キャリアタイマーが、前記１つまたは複数のタイマーのうちの前記少なくとも１つの１次キャリアタイマーと重複し、前記方法が、
前記１次キャリア上でダウンリンク制御チャネルを受信することをさらに含み、前記ダウンリンク制御チャネルが、前記２次キャリア上のアップリンク送信に対する少なくとも１つのアップリンク許可を含む、Ｃ１０に記載の方法。
［Ｃ１７］
ワイヤレス通信用に構成された装置であって、前記装置が、
少なくとも１つのプロセッサと、
前記少なくとも１つのプロセッサに結合されたメモリと
を備え、
前記少なくとも１つのプロセッサが、
競合ベースの共有スペクトル上のサービング基地局からのチャネル使用信号をユーザ機器（ＵＥ）によって監視することと、
前記チャネル使用信号が検出されたとき、構成されたオン持続時間タイマーに基づくオン持続時間の間に前記競合ベースの共有スペクトル上のダウンリンク制御チャネルを監視することと、
非アクティビティタイマーと、ここにおいて、前記非アクティビティタイマーは、前記ダウンリンク制御チャネルを検出したことに応答して開始される、または
前記構成されたオン持続時間タイマー
の一方の満了時にスリープモードに入ることと
を行うように構成される、装置。
［Ｃ１８］
ウェイクアップタイマーを開始することと、ここにおいて、前記ＵＥは、前記ウェイクアップタイマーが開始されるときにチャネル使用信号を前記監視することを開始するために前記スリープモードからウェイクアップする、
前記ウェイクアップタイマーの満了前に前記チャネル使用信号が検出されないときに前記スリープモードに再び入ることと
を行うための、前記少なくとも１つのプロセッサの構成をさらに含む、Ｃ１７に記載の装置。
［Ｃ１９］
前記オン持続時間の間に前記チャネル使用信号を検出したことに応答して発見基準信号（ＤＲＳ）を監視することと、
前記ＤＲＳを測定することと
を行うための、前記少なくとも１つのプロセッサの構成をさらに含む、Ｃ１７に記載の装置。
［Ｃ２０］
ＤＲＳが検出されない間の前記オン持続時間の間に最後に正常に受信されたＤＲＳからの期間長さを監視することと、
前記期間長さがしきい値を超えるとき、前記ＤＲＳを監視するために前記ＵＥにおいてウェイクアップサイクルを開始することと、前記ウェイクアップサイクルが前記ＤＲＳの周期性に対応する、
を行うための、前記少なくとも１つのプロセッサの構成をさらに含む、Ｃ１９に記載の装置。
［Ｃ２１］
ワイヤレス通信用に構成された装置であって、前記装置が、
少なくとも１つのプロセッサと、
前記少なくとも１つのプロセッサに結合されたメモリと
を備え、
前記少なくとも１つのプロセッサが、
１次キャリアから物理レイヤチャネル上の制御信号を受信することと、
前記制御信号を使用して前記１次キャリアおよび２次キャリアに対する１つまたは複数のタイマーを管理することと
を行うように構成され、前記１つまたは複数のタイマーが、
前記１次キャリアおよび前記２次キャリアのオン持続時間、あるいは
前記１次キャリアまたは前記２次キャリアのスリープモードへのエントリ
の一方と関連付けられ、
ここにおいて、前記２次キャリアが競合ベースのキャリアを使用して通信する、装置。
［Ｃ２２］
前記１つまたは複数のタイマーのうちの少なくとも１つに部分的に基づいて、第１のアクティブ時間の持続時間の間に前記１次キャリアをユーザ機器（ＵＥ）によって監視することと、
前記第１のアクティブ時間の持続時間に基づいて第２のアクティブ時間の持続時間の間に前記２次キャリアを前記ＵＥによって監視することと、
前記制御信号に応答して前記２次キャリア上で前記スリープモードに入ることと
を行うための、前記少なくとも１つのプロセッサの構成をさらに含む、Ｃ２１に記載の装置。
［Ｃ２３］
前記１つまたは複数のタイマーのうちの前記少なくとも１つが、間欠受信（ＤＲＸ）オン持続時間タイマーおよび非アクティビティタイマーを含む、Ｃ２２に記載の装置。
［Ｃ２４］
前記１次キャリアに対する第１のＤＲＸサイクル長さ、第１のＤＲＸオフセット、および第１のＤＲＸオン持続時間、ならびに前記２次キャリアに対する第２のＤＲＸサイクル長さ、第２のＤＲＸオフセット、および第２のＤＲＸオン持続時間を識別する構成信号を前記ＵＥにおいて受信することと、ここにおいて、前記第１のＤＲＸサイクル長さ、前記第１のＤＲＸオフセット、前記第２のＤＲＸサイクル長さ、および前記第２のＤＲＸオフセットは、前記ＵＥの第１のＤＲＸオン持続時間と前記２次ＤＲＸオン持続時間との間に少なくとも部分的重複を確実にする、
前記第１のＤＲＸオン持続時間に設定された少なくとも１つの１次キャリアタイマーの間の前記１次キャリアと、前記第２のＤＲＸオン持続時間に設定された少なくとも１つの２次キャリアタイマーの間の前記２次キャリアとを、前記ＵＥによって監視することとを行うための、前記少なくとも１つのプロセッサの構成をさらに含み、
ここにおいて、前記少なくとも１つの１次キャリアタイマーが前記１つまたは複数のタイマーのうちの少なくとも１つのタイマーであり、前記１次キャリアと関連付けられ、前記少なくとも１つの２次キャリアタイマーが前記１つまたは複数のタイマーのうちの少なくとも１つのタイマーであり、前記２次キャリアと関連付けられる、Ｃ２１に記載の装置。
［Ｃ２５］
前記２次キャリアを監視するための前記少なくとも１つのプロセッサの前記構成が、  システムブロードキャストメッセージ内で通信されるアップリンク−ダウンリンク構成内で識別された１つまたは複数のダウンリンクサブフレーム、および
動的アップリンク−ダウンリンク構成信号内の１つまたは複数のダウンリンクサブフレームの各々の間に発生する、Ｃ２４に記載の装置。
［Ｃ２６］
前記制御信号に応答して前記２次キャリアに対するスリープモードに前記ＵＥにおいて入るための、前記少なくとも１つのプロセッサの構成をさらに含む、Ｃ２５に記載の装置。
［Ｃ２７］
前記１つまたは複数のタイマーのうちの前記少なくとも１つの２次キャリアタイマーの間に前記２次キャリア上で２次ダウンリンク制御チャネルを受信することと、
前記２次ダウンリンク制御チャネルに応答して前記２次キャリアに対する前記１つまたは複数のタイマーのうちの非アクティビティタイマーを起動することと、
前記非アクティビティタイマーの間に前記２次キャリア上の次の２次ダウンリンク制御チャネルを監視することを延長することと
を行うための、前記少なくとも１つのプロセッサの構成をさらに含み、前記制御信号が前記非アクティビティタイマーの間に受信される、Ｃ２６に記載の装置。
［Ｃ２８］
前記１次キャリアから前記物理レイヤ上の２次制御信号を受信することと、
前記２次制御信号に応答して前記１つまたは複数のタイマーのうちの少なくとも１つの第２のタイマーの間に前記２次キャリアを監視することと
を行うための、前記少なくとも１つのプロセッサの構成をさらに含み、前記１つまたは複数のタイマーのうちの前記少なくとも１つの前記第２のタイマーの持続時間は、
前記構成信号内で受信されるか、あるいは
前記１つまたは複数のタイマーのうちの前記少なくとも１つのタイマーの残り時間に基づくか
の一方である、Ｃ２４に記載の装置。
［Ｃ２９］
前記少なくとも１つの１次キャリアタイマーおよび前記少なくとも１つの２次キャリアタイマーの間に発見基準信号（ＤＲＳ）に対する前記１次キャリアと前記２次キャリアとを監視することと、ここにおいて、前記１次キャリアは競合ベースの共有スペクトルを含む、
前記ＤＲＳを検出したことに応答して前記ＤＲＳを測定することと
を行うための、前記少なくとも１つのプロセッサの構成をさらに含む、Ｃ２８に記載の装置。
［Ｃ３０］
前記少なくとも１つの２次キャリアタイマーが、前記１つまたは複数のタイマーのうちの前記少なくとも１つの１次キャリアタイマーと重複し、前記装置が、前記１次キャリア上でダウンリンク制御チャネルを受信するための、前記少なくとも１つのプロセッサの構成をさらに含み、前記ダウンリンク制御チャネルが、前記２次キャリア上のアップリンク送信に対する少なくとも１つのアップリンク許可を含む、Ｃ２４に記載の装置。